(57)【特許請求の範囲】
【請求項１】
電気接続箱と、該電気接続箱にロック機構を介して着脱自在に取り付けられる付設ボックスを備えており、
前記ロック機構を構成するロック片が、互いに対向する前記電気接続箱の側壁と前記付設ボックスの側壁の一方において、前記側壁の下端側から上端側に向かって突出して設けられている一方、
前記ロック機構を構成し前記ロック片の係合部が係合される係合突部が、前記電気接続箱の前記側壁と前記付設ボックスの前記側壁の他方に突設されており、
前記ロック片の前記係合部と前記係合突部が係合した状態で、前記ロック片の前記係合部よりも上方に延び出して設けられた操作部が、前記電気接続箱と前記付設ボックスの前記側壁間のスペースにおいて、前記係合突部よりも上方に突出している付設ボックス付電気接続箱において、
前記付設ボックスの前記側壁には、前記操作部の上端よりも上方側から下方側に向かって延出すると共に前記電気接続箱側に突出するガイド突起が設けられている
ことを特徴とする付設ボックス付電気接続箱。
【請求項２】
前記ガイド突起の前記電気接続箱側への突出寸法が前記ガイド突起の上端部側から下端部側に向かって次第に大きくされていると共に、前記操作部の前記上端よりも上方側において、前記ガイド突起が前記操作部よりも前記電気接続箱側に突出するようになっている請求項１に記載の付設ボックス付電気接続箱。
【請求項３】
前記付設ボックスの前記側壁において、前記操作部の左右方向両側に前記ガイド突起が一対設けられている請求項１または２に記載の付設ボックス付電気接続箱。
【請求項４】
前記付設ボックスの前記側壁が、前記付設ボックスのアッパカバーにおける前記電気接続箱と対向するアッパ側壁を含んで構成されている一方、
前記ガイド突起が、前記操作部の前記上端を超えて前記アッパカバーの下端部まで延出しかつ前記操作部よりも前記電気接続箱側に一定の突出寸法で突出する補強壁部を含んで構成されている請求項１〜３の何れか１項に記載の付設ボックス付電気接続箱。
【請求項５】
前記付設ボックスが、内部回路を収容する本体部と該本体部の上方開口部を覆う前記アッパカバーを含んで構成されており、前記本体部と前記アッパカバーを着脱自在に固定するロック部が、前記本体部の本体部側壁と前記アッパカバーの前記アッパ側壁において、前記電気接続箱に対向していない領域に設けられている請求項４に記載の付設ボックス付電気接続箱。
【発明の詳細な説明】
【技術分野】
【０００１】
本発明は、自動車に搭載される電気接続箱に係り、特に、電気接続箱の側壁に付設ボックスを組み付けてなる付設ボックス付電気接続箱に関するものである。
【背景技術】
【０００２】
従来から、自動車の電装系にはヒューズボックス、ジャンクションボックス等の電気接続箱が用いられており、電気配線の効率化やメンテナンス性の向上が図られている。近年では、自動車のグレード違い等による回路変更に柔軟に対応可能とするために、電気接続箱の側壁に対して、ヒューズ回路等の回路体からなる付設ボックスを着脱自在に組み付けた付設ボックス付電気接続箱も採用されている。例えば、特開２０１３−２４３８５８号公報（特許文献１）に記載のものが、それである。
【０００３】
このような付設ボックス付電気接続箱においては、電気接続箱の側壁と付設ボックスの側壁の間に設けられたロック機構により、電気接続箱の側壁に対して付設ボックスが着脱自在に組み付けられている。ロック機構はロック片と係合突部から構成されており、ロック片の両側に設けられた一対の当接ブロックが、係合突部の両側に設けられた一対の収容部に収容保持されることにより、電気接続箱の側壁に対して付設ボックスが支持されるようになっている。ロック片の先端部にはロックを解除するための操作部が設けられており、かかる操作部に対して容易に力を加えることができるように、操作部は当接ブロックと収容部の上端面よりも上方に突出するように形成されている。
【０００４】
ところで、このような付設ボックス付電気接続箱において、電気接続箱の側壁に対する付設ボックスの組み付けは、電気接続箱のアッパカバーが外された状態で行われる場合がある。これにより、ロック機構がよく見える状態で付設ボックスを電気接続箱に組み付けることができる。そして、組み付け後に、電気接続箱にアッパカバーが取り付けられていた。
【０００５】
しかしながら、ロックを解除するための操作部が当接ブロックと収容部の上端面よりも上方に突出するように形成されていることから、電気接続箱にアッパカバーが取り付けられる際に、アッパカバーに操作部が干渉するおそれがある。これにより、アッパカバーの取り付け作業性が低下するおそれがあることから、さらなる改良が求められていた。
【先行技術文献】
【特許文献】
【０００６】
【特許文献１】特開２０１３−２４３８５８号公報
【発明の概要】
【発明が解決しようとする課題】
【０００７】
本発明は、上述の事情を背景に為されたものであって、その解決課題は、電気接続箱へのアッパカバーの取り付けに際して、アッパカバーと操作部の干渉を防止して組み付け作業性の向上を図ることができる、新規な構造の付設ボックス付電気接続箱を提供することにある。
【課題を解決するための手段】
【０００８】
本発明の第一の態様は、電気接続箱と、該電気接続箱にロック機構を介して着脱自在に取り付けられる付設ボックスを備えており、前記ロック機構を構成するロック片が、互いに対向する前記電気接続箱の側壁と前記付設ボックスの側壁の一方において、前記側壁の下端側から上端側に向かって突出して設けられている一方、前記ロック機構を構成し前記ロック片の係合部が係合される係合突部が、前記電気接続箱の前記側壁と前記付設ボックスの前記側壁の他方に突設されており、前記ロック片の前記係合部と前記係合突部が係合した状態で、前記ロック片の前記係合部よりも上方に延び出して設けられた操作部が、前記電気接続箱と前記付設ボックスの前記側壁間のスペースにおいて、前記係合突部よりも上方に突出している付設ボックス付電気接続箱において、前記付設ボックスの前記側壁には、前記操作部の上端よりも上方側から下方側に向かって延出すると共に前記電気接続箱側に突出するガイド突起が設けられていることを特徴とする。
【０００９】
本態様によれば、付設ボックスの電気接続箱に対向する側壁において、操作部の上端よりも上方側に位置して、操作部の上端よりも電気接続箱側に突出するガイド突起が設けられている。すなわち、電気接続箱と付設ボックスの対向側壁間の正面視において、操作部の上端よりも上方側において、ガイド突起が、付設ボックスの側壁から操作部を超えて電気接続箱の側壁側に突出するように配設されているのである。これにより、電気接続箱に上方からアッパカバーが取り付けられる際に、アッパカバーに操作部が干渉する前にアッパカバーがガイド突起に当接して、アッパカバーと操作部の干渉が未然に防止される。
【００１０】
本発明の第二の態様は、前記第一の態様に記載のものにおいて、前記ガイド突起の前記電気接続箱側への突出寸法が前記ガイド突起の上端部側から下端部側に向かって次第に大きくされていると共に、前記操作部の前記上端よりも上方側において、前記ガイド突起が前記操作部よりも前記電気接続箱側に突出するようになっているものである。
【００１１】
本態様によれば、ガイド突起の電気接続箱側への突出寸法が、ガイド突起の上端部側から下端部側に向かって次第に大きくされていると共に、操作部の上端よりも上方側において、ガイド突起が操作部よりも電気接続箱側に突出するようになっている。これにより、ガイド突起に当接したアッパカバーがガイド突起の傾斜に沿ってスムーズに電気接続箱側に案内されて、操作部に干渉する前に、確実に電気接続箱側に導かれる。その結果、アッパカバーのスムーズかつ安定した組み付けが可能となって、アッパカバーの電気接続箱への組み付け作業性の向上を図ることができる。
【００１２】
本発明の第三の態様は、前記第一または第二の態様に記載のものにおいて、前記付設ボックスの前記側壁において、前記操作部の左右方向両側に前記ガイド突起が一対設けられているものである。
【００１３】
本態様によれば、操作部の左右方向両側にガイド突起が設けられていることから、電気接続箱と付設ボックスの側壁間のスペースにおいて、操作部を両サイドからガイド突起で包囲することができる。これにより、電気接続箱に対して上方からアッパカバーが取り付けられる際に、アッパカバーに操作部が干渉することが一層確実に防止され、よりスムーズなアッパカバーの組み付けが実現される。
【００１４】
本発明の第四の態様は、前記第一乃至第三の何れか一つの態様に記載のものにおいて、前記付設ボックスの前記側壁が、前記付設ボックスのアッパカバーにおける前記電気接続箱と対向するアッパ側壁を含んで構成されている一方、前記ガイド突起が、前記操作部の前記上端を超えて前記アッパカバーの下端部まで延出しかつ前記操作部よりも前記電気接続箱側に一定の突出寸法で突出する補強壁部を含んで構成されているものである。
【００１５】
本態様によれば、ガイド突起を付設ボックスのアッパカバーのアッパ側壁に設けたことから、操作部の上方側に突設するガイド突起を容易に設けることができる。また、かかるガイド突起がさらに下方側に向かって延出する補強壁部を含んで構成されていることから、操作部全体を、ガイド突起によって側面視で完全にカバーすることができる。さらに、電気接続箱のアッパカバーが直接当接されるガイド突起の上端部に連接して補強壁部が一体的に設けられていることから、ガイド突起全体の剛性が向上されて、アッパカバーの当接によるガイド突起の変形や破損が生じるおそれが低減されて、耐久性の向上が図られている。加えて、補強壁部がアッパカバーの下端部まで延出していることから、アッパカバーのアッパ側壁のそり等の発生防止にも寄与することができ、ガイド突起のガイド作用が一層安定して発揮され得る。
【００１６】
本発明の第五の態様は、前記第四の態様に記載のものにおいて、前記付設ボックスが、内部回路を収容する本体部と該本体部の上方開口部を覆う前記アッパカバーを含んで構成されており、前記本体部と前記アッパカバーを着脱自在に固定するロック部が、前記本体部の本体部側壁と前記アッパカバーの前記アッパ側壁において、前記電気接続箱に対向していない領域に設けられているものである。
【００１７】
本態様によれば、付設ボックスの本体部とアッパカバーを着脱自在に固定するロック部が、本体部の本体部側壁とアッパカバーのアッパ側壁において電気接続箱に対向していない領域に設けられている。これにより、付設ボックスの本体部とアッパカバーの組み付けに際して、操作部が干渉することが未然に防止されている。しかも、操作部が配設される電気接続箱と付設ボックスの対向面間の隙間にロック部を設けないことから、対向面間の構成を簡素化することができ、電気接続箱のアッパカバーの組み付けにおけるさらなる干渉の発生を有利に防止できる。
【発明の効果】
【００１８】
本発明によれば、付設ボックスの電気接続箱に対向する側壁において、操作部の上端よりも上方側に位置して、操作部の上端よりも電気接続箱側に突出するガイド突起が設けられている。これにより、電気接続箱に上方からアッパカバーが取り付けられる際に、アッパカバーに操作部が干渉する前にアッパカバーがガイド突起に当接して、アッパカバーと操作部の干渉が未然に防止される。
【図面の簡単な説明】
【００１９】
【図１】本発明の一実施形態としての付設ボックス付電気接続箱を示す全体斜視図。
【図２】図１に示す付設ボックス付電気接続箱において、電気接続箱のアッパカバーを外した状態の図１とは別の方向から見た全体斜視図。
【図３】本実施形態における電気接続箱を示す斜視図。
【図４】本実施形態における付設ボックスを拡大して示す斜視図。
【図５】図１に示す付設ボックス付電気接続箱の拡大平面図。
【図６】図５のＶＩ−ＶＩ断面の拡大図。
【発明を実施するための形態】
【００２０】
以下、本発明の実施形態について、図面を参照しつつ説明する。
【００２１】
まず、図１〜６には、本発明の一実施形態としての付設ボックス付電気接続箱１０が示されている。図１および図５に示されているように、本実施形態の付設ボックス付電気接続箱１０は、電気接続箱１２の側壁１４に付設ボックス１６がロック機構１８を介して着脱自在に取り付けられた構造とされている。なお、以下の説明において、上下方向とは図１中の上下方向、左右方向とは図５中の左右方向を表すものとする。
【００２２】
電気接続箱１２は、本体部２０と、アッパカバー２２と、ロアカバー２４を含んで構成されている。そして、本体部２０に対して、一方の側（図１中、上側）からアッパカバー２２が重ね合わされて組み付けられると共に、他方の側（図１中、下側）からロアカバー２４が重ね合わされて組み付けられており、それぞれ、周上の複数箇所に設けられたロック部２６や解除片付ロック部２８によって、本体部２０に対して着脱可能に取り付けられている。これら本体部２０、アッパカバー２２、ロアカバー２４は、それぞれ、合成樹脂からなる一体成形品とされている。
【００２３】
電気接続箱１２の本体部２０は、略矩形箱体形状を有しており、バスバー等の導通部材からなる図示しない内部回路が内部に収容配置されており、上面にはヒューズ装着部３０やリレー装着部３２などの電気部品装着部が突設されている（図２参照）。また、電気接続箱１２のロアカバー２４には、複数のハーネス導出口３４が周壁部を貫通して設けられており、本体部２０が収容保持する内部回路に接続された図示しないワイヤーハーネスが、ロアカバー２４のハーネス導出口３４を通じて外部に導出されるようになっている。そして、本体部２０の外周面には、複数の車両固定部３６が突設されており、車両固定部３６が図示しないボデー側の取付部に対してボルト固定されることにより、付設ボックス付電気接続箱１０が、図１に示すようにアッパカバー２２が鉛直上方に位置する向きで、自動車のエンジンルーム内などに配設されるようになっている。
【００２４】
一方、付設ボックス１６は、図示しない内部回路を収容する付設ボックス本体部３８と、付設ボックスアッパカバー４０と、付設ボックスロアカバー４２を含んで構成されている。付設ボックス本体部３８は、上下に開口する略矩形箱体形状とされており、上方開口部を覆う付設ボックスアッパカバー４０が重ね合わされて組み付けられると共に、下方開口部を覆う付設ボックスロアカバー４２が重ね合わされて組み付けられており、それぞれ、付設ボックス１６の側壁４４の周上の複数箇所に設けられたロック部４６や解除片付ロック部４８によって、付設ボックス本体部３８に対して着脱自在に取り付けられている。図１に示されているように、付設ボックス本体部３８と付設ボックスアッパカバー４０を着脱自在に固定するロック部４６，４８が、付設ボックス本体部３８の本体部側壁４４ｂと付設ボックスアッパカバー４０のアッパ側壁４４ａにおいて、電気接続箱１２に対向していない領域に設けられている。なお、これら付設ボックス本体部３８、付設ボックスアッパカバー４０、付設ボックスロアカバー４２は、それぞれ、合成樹脂からなる一体成形品とされている。
【００２５】
次に、電気接続箱１２と付設ボックス１６の取付構造について、図３〜図６を用いて詳述する。なお、電気接続箱１２と付設ボックス１６の取付固定は、電気接続箱１２と付設ボックス１６の一方の側壁に設けられた後述する当接ブロック５８が、他方の側壁に設けられた後述する収容部５２に収容配置されると共に、当接ブロック５８と同じ側に配設された後述するロック片５６の係合部６２と、収容部５２と同じ側に配設された後述する係合突部５０の係合により実現される。
【００２６】
図３には、付設ボックス付電気接続箱１０から付設ボックス１６が取り外された状態の電気接続箱１２が示されている。本実施形態では、電気接続箱１２の本体部２０の側壁１４に、ロック機構１８を構成する係合突部５０と一対の収容部５２，５２が設けられている。係合突部５０は、側壁１４の長手方向（図５中の左右方向）の略中央部分における上端部において、側壁１４の外周側に庇状に突出して形成されている。また、一対の収容部５２，５２は、側壁１４の左右方向で係合突部５０の両側に位置して外方に向かって突設されている。
【００２７】
一対の収容部５２，５２は、それぞれ全体として略矩形の有底筒形状を呈しており、係合突部５０を間に挟んだ両側において、電気接続箱１２の本体部２０の側壁１４の左右方向で所定幅寸法で広がると共に、側壁１４の上下方向の略中央部分から上端部まで延在して設けられている。これら収容部５２，５２の下端部はそれぞれ底壁５４，５４で覆蓋されている一方、収容部５２，５２は上方および側方に向かって開口された構造とされている。
【００２８】
次に、図４には、付設ボックス１６が拡大して示されている。本実施形態では、付設ボックス本体部３８の本体部側壁４４ｂに、ロック機構１８を構成するロック片５６と一対の当接ブロック５８，５８が設けられている。そして、付設ボックス本体部３８の本体部側壁４４ｂが本体部２０の側壁１４の組み付け位置に対向配置された状態で、ロック片５６は、係合突部５０に対向する位置に配設されると共に、一対の当接ブロック５８，５８は、一対の収容部５２，５２に対向する位置に配設されるようになっている。
【００２９】
具体的には、ロック片５６は、本体部側壁４４ｂの長手方向（図５中の左右方向）の略中央部分において、本体部側壁４４ｂの下端部から外周側に向かって、基端部６０が突出すると共に、さらに上方に向かって屈曲されることにより、略Ｌ字形状で本体部側壁４４ｂの下端側から上端側に向かって、本体部側壁４４ｂから隙間を隔てて平行に延出するように突出形成されている。要するに、ロック片５６は、基端部６０において片持ち状態で本体部側壁４４ｂに連結支持されており、基端部６０を中心として、先端部分が本体部側壁４４ｂに向かって撓み変形可能とされている。
【００３０】
ロック片５６の先端部分には、外面から庇状に突出する係合部６２が一体形成されている。ロック片５６の上下方向における係合部６２の形成位置は、後述するように、付設ボックス１６に設けた一対の当接ブロック５８，５８が電気接続箱１２に設けた一対の収容部５２，５２に収容保持された状態で、電気接続箱１２に設けた係合突部５０に係合される位置に設定されている。さらに、ロック片５６の先端部分には、係合部６２よりも先端側（上端側）に延び出して操作部６４が設けられている。特に、本実施形態では、後述する図６などに示されているように、ロック片５６の係合部６２と係合突部５０が係合した状態で、操作部６４は、電気接続箱１２と付設ボックス１６の側壁１４，４４間のスペースにおいて、係合突部５０よりも上方に突出している一方、当接ブロック５８の上端面よりも上方に突出していると共に、電気接続箱１２に設けた収容部５２の上端面よりも上方に突出している。
【００３１】
図４に示されているように、付設ボックス本体部３８の本体部側壁４４ｂには、さらに、本体部側壁４４ｂの左右方向でロック片５６の両側に位置して、略矩形柱状の一対の当接ブロック５８，５８が一体的に突設されている。一対の当接ブロック５８，５８は、略一定の矩形断面形状で本体部側壁４４ｂの上下および左右方向の所定範囲に亘って延出している。これら一対の当接ブロック５８，５８は、略一定の長手矩形断面形状で本体部側壁４４ｂの左右方向および上下方向の所定範囲に亘って延出する厚肉の連結部６６，６６を介して側壁４４の外周側に突出保持されている。
【００３２】
また、付設ボックス１６の付設ボックスアッパカバー４０における電気接続箱１２と対向するアッパ側壁４４ａには、アッパ側壁４４ａの左右方向でロック片５６の操作部６４の両側に位置して、略台形平板状の一対のガイド突起６８，６８が突設されている。ガイド突起６８は、先端側に設けられた略三角平板状のガイド突起本体７０と、基端側に設けられた略矩形平板状の補強壁部７２と、を含んで構成されている。より詳細には、図４および図６に示されているように、ガイド突起本体７０は、操作部６４の上端７４よりも上方側から下方側に向かって延出すると共に電気接続箱１２側に突出して形成されている。さらに、ガイド突起本体７０は、その電気接続箱１２側への突出寸法がガイド突起本体７０の上端部側から下端部側に向かって次第に大きくされていると共に、操作部６４の上端７４よりも上方側においてガイド突起本体７０が操作部６４よりも電気接続箱１２側に突出するように形成されている。一方、補強壁部７２は、操作部６４の上端７４を超えて付設ボックスアッパカバー４０のアッパ側壁４４ａの下端部まで延出しかつ操作部６４よりも電気接続箱１２側に一定の突出寸法で突出して形成されている。
【００３３】
上述の如き構造とされた電気接続箱１２の側壁１４に、付設ボックス１６が取り付けられて付設ボックス付電気接続箱１０が構成される。図３および図４に示されているように、これら電気接続箱１２と付設ボックス１６の取付固定は、付設ボックス１６に設けられた一対の当接ブロック５８，５８が、電気接続箱１２に設けられた一対の収容部５２，５２の上方開口部から挿し入れることにより行われる。ここで、各収容部５２には側方開口部が設けられていることから、各当接ブロック５８の連結部６６が各収容部５２の側方開口部に挿し入れられることにより、当接ブロック５８を筒状の収容部５２の内部に押し込んで収容配置することができるのである。
【００３４】
そして、付設ボックス１６をさらに下方に挿し入れると、図６に示されているように、付設ボックス１６に設けたロック片５６の係合部６２が、電気接続箱１２の側壁１４に突設された係合突部５０の上方から当接する。その際、ロック片５６の係合部６２が上方に向かうに従って突出量が多くなる傾斜面とされている一方、係合突部５０が下方に向かうに従って突出量が多くなる傾斜面とされていることから、付設ボックス１６が下方にスライドされるに従って、弾性変形可能なロック片５６が付設ボックス本体部３８側に徐々に撓み変形することとなる。その後、さらに付設ボックス１６を下方にスライドさせることにより、係合部６２が係合突部５０を乗り越えて、撓み変形されたロック片５６が初期形状に弾性復帰することで、係合突部５０と係合部６２により係止効果が発揮される。
【００３５】
図６に示されているように、かかる電気接続箱１２と付設ボックス１６の取付状態において、ロック片５６の係合部６２よりも上端側に設けられた操作部６４は、当接ブロック５８，５８と収容部５２により設けられた電気接続箱１２と付設ボックス１６の各側壁１４，４４間のスペースにおいて、当接ブロック５８と収容部５２の上端面よりも上方に突出されている。従って、付設ボックス付電気接続箱１０から付設ボックス１６を取り外す際には、付設ボックス付電気接続箱１０の上方からロック片５６の操作部６４にアクセスできる。そして、ロック片５６の操作部６４を手指等で付設ボックス１６側に押さえてロック片５６を付設ボックス１６側に撓み変形させることにより、係合突部５０と係合部６２による係止効果が解除され、当接ブロック５８を収容部５２の開口している上方側から引き抜くことができる。特に、本実施形態では、付設ボックス１６を片手で保持した状態で、ロック片５６の操作部６４にかかる片手の手指をかけてロック解除ができることから、ワンハンドの付設ボックス１６の取外作業が可能となっている。
【００３６】
ところで、このような付設ボックス付電気接続箱１０において、電気接続箱１２の側壁１４に対する付設ボックス１６の組み付けは、図２に示すように、電気接続箱１２のアッパカバー２２が外された状態で行われる場合がある。これに対して、本実施形態の付設ボックス付電気接続箱１０によれば、付設ボックス１６の付設ボックスアッパカバー４０における電気接続箱１２と対向するアッパ側壁４４ａには、アッパ側壁４４ａの左右方向でロック片５６の操作部６４の両側に位置して、一対のガイド突起６８，６８が突設されている。より詳細には、図２のＡ矢視における電気接続箱１２と付設ボックス１６の対向側壁１４，４４間では、図６に明示されているように、ガイド突起６８を構成するガイド突起本体７０は、操作部６４の上端７４よりも上方側から下方側に向かって延出すると共に電気接続箱１２側に突出して形成されている。このように、電気接続箱１２の側壁１４に対する付設ボックス１６の組み付け後に電気接続箱１２に対して上方からアッパカバー２２を取り付ける際には、アッパカバー２２が操作部６４に干渉する前にアッパカバー２２がガイド突起６８のガイド突起本体７０に当接するようになっている。それゆえ、本実施形態においては、電気接続箱１２の側壁１４に対する付設ボックス１６の組み付け後に電気接続箱１２に対して上方からアッパカバー２２を取り付けても、アッパカバー２２と操作部６４が干渉することが防止されるようになっている。しかも、ガイド突起６８のガイド突起本体７０の電気接続箱１２側への突出寸法が、上端部側から下端部側に向かって次第に大きくされていることから、ガイド突起本体７０の上端面７６に当接したアッパカバー２２はガイド突起本体７０の上端面７６の傾斜に沿ってスムーズに電気接続箱１２側に案内されて、操作部６４に干渉する前に、確実に電気接続箱１２側に導かれることになる。従って、アッパカバー２２のスムーズ且つ安定した組み付けが可能となって、アッパカバー２２の電気接続箱１２への組み付け作業性の向上を図ることができるのである。
【００３７】
さらに、ガイド突起６８が下方側に向かって延出する補強壁部７２を含んで構成されていることから、図６に示されているように、操作部６４全体を、ガイド突起６８によって側面視で完全にカバーすることができ、一層確実にアッパカバー２２を操作部６４に干渉することなく電気接続箱１２側に導くことができる。また、補強壁部７２をガイド突起本体７０に連接して一体的に設けたことにより、ガイド突起６８全体の剛性が向上されることから、アッパカバー２２の当接によるガイド突起６８の変形や破損の発生が抑えられて耐久性の向上が図られている。さらに、ガイド突起６８を付設ボックス１６の付設ボックスアッパカバー４０のアッパ側壁４４ａに設けることにより、操作部６４の上方側に突設するガイド突起６８を容易に設けることができるのである。
【００３８】
加えて、ガイド突起６８が操作部６４の左右方向両側に設けられていることから、操作部６４を両サイドからガイド突起６８で包囲することができ、より一層確実にアッパカバー２２を操作部６４に干渉することなく電気接続箱１２側に導くことができるのである。また、付設ボックス本体部３８と付設ボックスアッパカバー４０を着脱自在に固定するロック部４６，４８が、付設ボックス１６の電気接続箱１２に対向していない側壁４４に設けられていることから、付設ボックス本体部３８と付設ボックスアッパカバー４０を着脱自在に固定する際に、操作部６４が干渉することがない。しかも、ロック部４６，４８を付設ボックス１６の電気接続箱１２に対向していない側壁４４に設けることにより、付設ボックス１６の電気接続箱１２に対向する側壁４４の構成を簡素化することができ、電気接続箱１２のアッパカバー２２の組み付けにおけるさらなる干渉の発生を有利に防止できるのである。
【００３９】
以上、本発明の実施形態について説明してきたが、かかる実施形態における具体的な記載によって、本発明は、何等限定されるものでない。例えば、本実施形態では、ロック片５６が付設ボックス１６の本体部側壁４４ｂに、また係合突部５０が電気接続箱１２の側壁１４に設けられていたが、逆でもよい。また、本実施形態では、ガイド突起６８はガイド突起本体７０と補強壁部７２を含んで構成されていたが、補強壁部７２は必ずしも必要ではない。
【００４０】
さらに、本実施形態では、一対のガイド突起６８，６８を有していたが、ガイド突起６８は１つであってもよい。また、本実施形態では、付設ボックス本体部３８と付設ボックスアッパカバー４０を着脱自在に固定するロック部４６，４８が、付設ボックス１６の電気接続箱１２に対向していない側壁４４に設けられていたが、付設ボックス１６の電気接続箱１２に対向する側壁４４に設けられていてもよい。
【符号の説明】
【００４１】
１０：付設ボックス付電気接続箱、１２：電気接続箱、１４：側壁、１６：付設ボックス、１８：ロック機構、３８：付設ボックス本体部（本体部）、４０：付設ボックスアッパカバー（アッパカバー）、４４：側壁、４４ａ：アッパ側壁（側壁）、４４ｂ：本体部側壁（側壁）、４６：ロック部、４８：解除片付ロック部（ロック部）、５０：係合突部（ロック機構）、５６：ロック片（ロック機構）、６２：係合部、６４：操作部、６８：ガイド突起、７２：補強壁部、７４：上端
【図１】
0006432866.tif 000002
【図２】
0006432866.tif 000003
【図３】
0006432866.tif 000004
【図４】
0006432866.tif 000005
【図５】
0006432866.tif 000006
【図６】
0006432866.tif 000007